(57)【要約】【課題】  従来に比較して施工が楽に出来る建材の組み合わせを提供する。【解決手段】  建物２の壁３に固定される基板７と、該基板７に係合器３１を介して係合・分離自在となされた装飾パネル１０とを有している。前記係合器３１は前記基板７又は装飾パネル１０のいずれか一方に設けられるフック３９を有するフック部材３７と、同他方に設けられるフック係合部３３を有する受け部材３２とを備えている。前記フック３９をフック係合部３３に係合させることにより装飾パネル１０は基板７に係合させられる。【選択図】        図４
2006241949.tif 000002
【特許請求の範囲】
【請求項１】
建物の壁に固定される基板と、該基板に係合器を介して係合・分離自在となされた装飾パネルとを有し、前記係合器は前記基板又は装飾パネルのいずれか一方に設けられるフックを有するフック部材と、同他方に設けられるフック係合部を有する受け部材とを備えていることを特徴とする建材の組み合わせ。
【請求項２】
前記基板に厚さ方向に貫通する孔が形成され、前記受け部材は、平面視Ｕ字状のフック係合部と、該フック係合部の端縁に連設された２つの抜止片とを有し、前記フック係合部は前記基板の後面から前記孔に嵌められて前面から露出するようになされ、前記フック部材は前記装飾パネルに前記フックの先端が下向きとなるようにして設けられている請求項１記載の建材の組み合わせ。
【請求項３】
前記装飾パネルの後面に後方に開放した凹所が形成され、該凹所に前記フック部材が嵌入・固定され、前記凹所の前記フックの下方に前記フック係合部の前面露出部が嵌まる空間が形成されている請求項２記載の建材の組み合わせ。
【請求項４】
前記基板に厚さ方向に貫通する孔が形成され、前記フック部材は、基部と、該基部の前部に設けられたフックと、前記基部の後部に連設された２つの抜止片とを有しており、前記フック及び基部は、前記フックの先端を上向きとして前記基板の後面から前記孔に嵌められて前面から露出するようになされ、前記受け部材は前記装飾パネルに設けられている請求項１記載の建材の組み合わせ。
【請求項５】
前記装飾パネルの後面に後方に開放した凹所が形成され、該凹所に前記受け部材が嵌入・固定され、前記凹所の前記受け部材の下方に前記フック及び基部の前面露出部が嵌まる空間が形成されている請求項４記載の建材の組み合わせ。
【発明の詳細な説明】
【技術分野】
【０００１】
本発明は建物の壁に装飾壁を構成するための建材の組み合わせに関する。
【背景技術】
【０００２】
装飾壁を構成するための従来の建材の組み合わせとして特許文献１に示すものが知られている。
即ち、建物の壁に固定される複数本の柱材と、該柱材に係合器を介して着脱自在に取り付けられる複数枚の正面視矩形の装飾パネルとを有している。前記係合器は、装飾パネルの後面に設けられた先端が下向きのフックを有するフック部材と、前記柱材に形成されたフック係合部を有する受け部材とを有している。
【０００３】
前記建材の組み合わせの施工方法を説明する。まず、２本の柱材を設定間隔で鉛直に立て建物の壁に固定する。その後、装飾パネルのフックをフック係合部に係合させる。
【特許文献１】特開２００２−２２０９１２号公報
【発明の開示】
【発明が解決しようとする課題】
【０００４】
前記従来の建材の組み合わせには以下の如き問題があった。
即ち、別の部材である２本の柱材を鉛直に立てる作業は水準器を用いても素人では困難な作業であった。また、２本の柱材が鉛直（平行）でなければ、フックがフック係合部に係合しないというような事態が発生するおそれがあった。
【０００５】
本発明は斯かる事情に鑑みてなされたものであり、主たる目的は、柱材の代わりに基板を使用することにより、従来に比較して施工が楽に出来る建材の組み合わせを提供することにある。
【０００６】
本発明の他の目的は、受け部材の固定を、基板の固定に伴って出来るようにすることにより、受け部材の固定のためのねじ・くぎを必要としない建材の組み合わせを提供することにある。
【０００７】
本発明の他の目的は、装飾パネルの後面に後方に開放した凹所を形成し、該凹所にフック部材及び受け部材が嵌まるようにすることにより、基板と装飾パネルとを密着させることが出来る建材の組み合わせを提供することにある。
【０００８】
本発明の他の目的は、フック部材の固定を、基板の固定に伴って出来るようにすることにより、フック部材の固定のためのねじ・くぎを必要としない建材の組み合わせを提供することにある。
【０００９】
本発明の他の目的は、装飾パネルの後面に後方に開放した凹所を形成し、該凹所に受け部材及びフック部材が嵌まるようにすることにより、基板と装飾パネルとを密着させることが出来る建材の組み合わせを提供することにある。
【課題を解決するための手段】
【００１０】
本発明は前記目的を達成するために以下の如き手段を採用した。
第１の発明に係る建材の組み合わせは、建物の壁に固定される基板と、該基板に係合器を介して係合・分離自在となされた装飾パネルとを有し、前記係合器は前記基板又は装飾パネルのいずれか一方に設けられるフックを有するフック部材と、同他方に設けられるフック係合部を有する受け部材とを備えていることを特徴とする。
【００１１】
第２の発明に係る建材の組み合わせは、前記基板に厚さ方向に貫通する孔が形成され、前記受け部材は、平面視Ｕ字状のフック係合部と、該フック係合部の端縁に連設された２つの抜止片とを有し、前記フック係合部は前記基板の後面から前記孔に嵌められて前面から露出するようになされ、前記フック部材は前記装飾パネルに前記フックの先端が下向きとなるようにして設けられていることを特徴とする。
【００１２】
第３の発明に係る建材の組み合わせは、前記装飾パネルの後面に後方に開放した凹所が形成され、該凹所に前記フック部材が嵌入・固定され、前記凹所の前記フックの下方に前記フック係合部の前面露出部が嵌まる空間が形成されていることを特徴とする。
【００１３】
第４の発明に係る建材の組み合わせは、前記基板に厚さ方向に貫通する孔が形成され、前記フック部材は、基部と、該基部の前部に設けられたフックと、前記基部の後部に連設された２つの抜止片とを有しており、前記フック及び基部は、前記フックの先端を上向きとして前記基板の後面から前記孔に嵌められて前面から露出するようになされ、前記受け部材は前記装飾パネルに設けられていることを特徴とする。
【００１４】
第５の発明に係る建材の組み合わせは、前記装飾パネルの後面に後方に開放した凹所が形成され、該凹所に前記受け部材が嵌入・固定され、前記凹所の前記受け部材の下方に前記フック及び基部の前面露出部が嵌まる空間が形成されていることを特徴とする。
【発明の効果】
【００１５】
第１の発明によれば、１つの部材である基板を建物の壁に鉛直に固定すればよいので、換言すれば、別部材である２本の柱材を設定間隔で鉛直に立てて建物の壁に固定するという作業が不要であるので、従来に比較して施工が行いやすい。
【００１６】
第２の発明によれば、フック係合部は前記基板の後面から前記孔に嵌められて前面から露出するようになされ、抜止片は孔の縁部に当接するようになされているので、フック係合部を基板の後面から孔に嵌めた後、建物の壁に基板を固定すれば、受け部材の固定が出来るので、受け部材の固定のためのねじ・くぎを必要としない。
【００１７】
第３の発明によれば、装飾パネルの後面に後方に開放した凹所が形成され、該凹所に前記フック部材が嵌入・固定され、前記凹所の前記フックの下方に前記フック係合部の前面露出部が嵌まる空間が形成されているので、即ち、基板と装飾パネルとの間にフック部材及び受け部材が突出しないので、基板と装飾パネルを密着させることが出来る。
【００１８】
第４の発明によれば、フック及び基部は、前記フックの先端を上向きとして前記基板の後面から前記孔に嵌められて前面から露出するようになされ、抜止片は孔の縁部に当接するようになされているので、フック及び基部を基板の後面から孔に嵌めた後、建物の壁に基板を固定すれば、フック部材の固定が出来るので、フック部材の固定のためのねじ・くぎを必要としない。
【００１９】
第５の発明によれば、装飾パネルの後面に後方に開放した凹所が形成され、該凹所に前記受け部材が嵌入・固定され、前記凹所の前記受け部材の下方に前記フック及び基部の前面露出部が嵌まる空間が形成されているので、即ち、基板と装飾パネルとの間にフック部材及び受け部材が突出しないので、基板と装飾パネルを密着させることが出来る。
【発明を実施するための最良の形態】
【００２０】
以下に本発明の実施の形態を説明する。
［第１の実施の形態］
図１は本発明の第１の実施の形態の施工完了後を示す正面図、図２は図１のＩＩ−ＩＩ線拡大断面図である。図１及び図２に示すごとく、建物２の壁３の後面（後とは図２の上側を、前とは同図下側をいう。）には、左右（左とは図１の左側を、右とは同図右側をいう。）方向に約４５ｃｍ間隔で間柱４が設けられている。
【００２１】
前記壁３の前面に基板７が複数のねじ８により取り付けられている。前記基板７の正面視形状は正方形であり、該基板７の左右長さは、間柱４の取り付け間隔の２倍と間柱４の左右長さとの和以上となされている。前記ねじ８は、前記基板７を通じて間柱４にねじ嵌められている。
【００２２】
前記基板７の素材としては、合板、ＭＤＦ等の木質系板が好適であるが、合成樹脂製板又は金属製板であってもよい。前記基板７の素材が木質系板材であれば、ねじ８のための孔を基板７に予め形成しておかなくても、ねじ８により基板７に孔を形成することが出来る。他方、前記基板７の素材が硬質の合成樹脂製板又は金属製板である場合、ねじ８のための孔を基板７に形成しておくことが必要である。その際、間柱４の間隔が約４５ｃｍであったり、約５０ｃｍであったりするので、いずれの場合であっても、出来る限り施工現場での孔あけ加工をしなくて済むように、その間隔を考慮した多数の孔（余分な孔を含む）をあけておくことが好ましい。
【００２３】
前記基板７の重量は、１人の作業員が持つことが出来る程度の重量である１５ｋｇ以下が好ましい。
【００２４】
前記基板７の前面に４枚の装飾パネル１０が後述する係合器３１を介して係合・分離自在に取り付けられている。
【００２５】
前記装飾パネル１０の正面視形状は基板７の４分の１程度の大きさの正方形である。図１及び図７に示すごとく、前記各装飾パネル１０には軸長方向を左右方向に向けた上下２本の金属製のレール１１が設けられ、所望のレール１１には棚１２が取り付けられる。
【００２６】
前記装飾パネル１０の素材は合板、ＭＤＦ等の木質系板である。なお、装飾パネル１０を鏡、コルク板、合成樹脂製板、金属製板（鉄板、ステンレス板、金属製多孔板）、陶板で構成してもよく、また、木質系板に単色の装飾布を面接合ファスナにより着脱自在としたもので構成してもよい。異なる色、つや、素材からなる種々の装飾パネル１０を組み合わせることにより、個性的で且つ変化に富んだインテリアとして優れた装飾壁を得ることが出来る。
【００２７】
図３は図１のＩＩＩ−ＩＩＩ線拡大断面図、図４は図３のＩＶ−ＩＶ線断面図、図５は図３のＶ−Ｖ線断面図、図６は係合器が係合する前の状態を示す縦断面図である。図１及び図３〜図５に示すごとく、前記基板７には１枚の装飾パネル１０に設けられた４個の係合器３１のフック部材３７に対応して前後方向に貫通し且つフック係合部３３の通過を許容する形状となされた４個で１組の孔１５が、４組形成されている。後述するようにして孔１５を利用して係合器３１の一方の構成部材である金属製の受け部材３２が基板７に取り付けられている。前記受け部材３２は、平面視Ｕ字状のフック係合部３３と、該フック係合部３３の後部の左右縁に連設された左右の抜止片３４とを有している。
【００２８】
前記フック係合部３３は基板７の後面から孔１５に嵌められ、フック係合部３３の前部は基板７の前面から露出するようになされている。前記抜止片３４は孔１５の縁部に当接するようになされている。そして、フック係合部３３を基板７の後面から孔１５に嵌めた後、基板７を壁３に固定すると、抜止片３４は、孔１５の縁部と壁３とにより挟持・固定される。このようにして、基板７に受け部材３２は固定される。
【００２９】
前記装飾パネル１０の後面に後方に開放した凹所１７が孔１５に対応するようにして４個形成されている。該凹所１７は、左右方向に長い上部１７ａと、該上部１７ａに繋がる左右幅が狭まった中央部１７ｂと、該中央部１７ｂに繋がる左右幅が下に向かってテーパー状に広がった部分を有する下部１７ｃとを有している。
【００３０】
前記凹所１７の上部１７ａに係合器３１の他方の構成部材である金属製のフック部材３７が取り付けられている。該フック部材３７は、平面視略逆Ｕ字状の基部３８と、該基部３８の後部に下向きに連設されたフック３９と、前記基部３８の前部の左右縁に連設され且つ前後方向に貫通するねじ挿通孔４１を有する取付部４０とを有している。図３に示すごとく、前記フック３９の下側部（全体長さの３分の２程度の下側部）は後方に向かって下り傾斜となされ、また、図４に示すごとく、フック３９の下向き先端部は背面視において左右方向の中央に向かって先細となる形状となされている。前記フック３９の先端が装飾パネル１０の後面を含む仮想面に位置する状態で、フック部材３７は、凹所１７の上部１７ａにねじ４３により固定されている。
【００３１】
図６に示すごとく、フック３９とフック係合部３３とを上下にずらせて基板７に装飾パネル１０を重ねた際に、フック係合部３３の前面露出部は凹所１７の下部１７ｃに嵌まるようになされている。図６の状態から、装飾パネル１０を下向きに移動させると、フック３９がフック係合部３３に係合して図３に示す状態となる。その際、下部１７ｃのテーパー部はフック係合部３３が左右に偏っていた場合、フック係合部３３を中央部１７ｂに案内する作用をなす。前記中央部１７ｂの左右幅はフック係合部３３の左右方向の外法寸法よりやや大きくなされている。
【００３２】
次に、第１の実施の形態の施工方法を説明する。
なお、前記フック部材３７は工場において装飾パネル１０に取り付けられる。
前記壁３に基板７を、受け部材３２を孔１５に嵌めた状態で取り付ける。
その後、フック３９をフック係合部３３に係合させることにより、装飾パネル１０を基板７に取り付ける。
【００３３】
［第２の実施の形態］
図８は本発明の第２の実施の形態を示す要部縦断面図、図９は図８のＩＸ−ＩＸ線断面図、図１０は図８のＸ−Ｘ線断面図、図１１は図８のＸＩ−ＸＩ線断面図である。図８〜図１１に示すごとく、後述するようにして孔１５を利用して係合器４６の一方の構成部材である金属製のフック部材５２が基板７に取り付けられている。前記フック部材５２は、平面視Ｕ字状の基部５３と、該基部５３の前部（前とは図８左側を、後とは同図右側をいう。）に上向きに連設されたフック５４と、前記基部５３の後部の左右縁（左とは図１１の上側を、右とは同図下側をいう。）に連設された左右の抜止片５５とを有している。
【００３４】
前記基板７に形成された孔１５は、フック５４及び基部５３の通過を許容する形状となされている。
【００３５】
前記フック５４及び基部５３は基板７の後面から孔１５に嵌められ、フック５４及び基部５３の前部は基板７の前面から露出するようになされている。前記抜止片５５は孔１５の縁部に当接するようになされている。そして、フック５４及び基部５３を基板７の後面から孔１５に嵌めた後、基板７を壁３に固定すると、抜止片５５は、孔１５の縁部と壁３とにより挟持・固定される。このようにして、基板７にフック部材５２は固定される。
【００３６】
前記係合器４６の他方の構成部材である金属製の受け部材４７は、平面視略逆Ｕ字状のフック係合部４８と、該フック係合部４８の前部の左右縁に連設され且つ前後方向に貫通するねじ挿通孔５０を有する取付部４９とを有している。前記受け部材４７は、ねじ挿通孔５０を貫通して装飾パネル１０にねじ嵌められたねじ４３により、装飾パネル１０の凹所１９に嵌入状態で固定される。なお、フック係合部４８の後面は装飾パネル１０の後面を含む仮想面と重なるようになされている。
【００３７】
前記装飾パネル１０の後面に形成された後方に開放した凹所１９は、左右方向に長い上部１９ａと、該上部１９ａに繋がる左右幅が狭まった上下に長い下部１９ｂと有している。
【００３８】
前記フック係合部４８とフック５４とを上下にずらせて基板７に装飾パネル１０を重ねた際に、フック５４及び基部５３の前面露出部は凹所１９の下部１９ｂに嵌まるようになされている。その状態から、装飾パネル１０を下向きに移動させると、フック５４がフック係合部４８に係合して図８に示す状態となる。
【００３９】
なお、その他の構成及び作用は第１の実施の形態と同様であるため、同様の構成については同じ符号を付し、その詳細な説明及び作用の説明を省略する。
【００４０】
［第３の実施の形態］
図１２は本発明の第３の実施の形態を示す正面図、図１３は図１２のＸＩＩＩ−ＸＩＩＩ線拡大断面図である。第３の実施の形態の装飾パネル１０Ａは第１の実施の形態の装飾パネル１０と構造は同じであるが大きさが相違し、装飾パネル１０Ａは基板７とほぼ等しい正面視正方形をしている。
【００４１】
図６、図１２及び図１３を参照しつつ第３の実施の形態の施工方法について説明する。
壁３に基板７を第１の実施の形態の施工方法と同様にして取り付ける。
その後、基板７の下部に形成された２個の孔２２に金属製の仮載せピン２３を嵌めた後、該仮載せピン２３に装飾パネル１０Ａを載せる。この状態でフック部材３７と受け部材３２との位置関係は図６に示す状態となる。装飾パネル１０Ａを仮載せピン２３に暫定的に支持させることなく、大きくなった分だけ重量が重くなった装飾パネル１０Ａを持ち上げて支持した状態でフック３９とフック係合部３３との位置合わせをすることは困難であるが、前記のごとく装飾パネル１０Ａを一旦仮載せピン２３に載せることにより、フック３９とフック係合部３３との位置合わせを少ない労力で容易に行うことが出来る。
その後、仮載せピン２３を抜き取り、フック３９をフック係合部３３に係合させる。
【００４２】
なお、その他の構成及び作用は第１の実施の形態と同様であるため、同様の構成については同じ符号を付し、その詳細な説明及び作用の説明を省略する。
【００４３】
フック部材及び受け部材は合成樹脂製であってもよい。仮載せピンは合成樹脂製又は木質系素材製であってもよい。
【図面の簡単な説明】
【００４４】
【図１】本発明の第１の実施の形態の施工完了後を示す正面図である。
【図２】図１のＩＩ−ＩＩ線拡大断面図である。
【図３】図１のＩＩＩ−ＩＩＩ線拡大断面図である。
【図４】図３のＩＶ−ＩＶ線断面図である。
【図５】図３のＶ−Ｖ線断面図である。
【図６】係合器が係合する前の状態を示す縦断面図である。
【図７】図１のＶＩＩ−ＶＩＩ線拡大断面図である。
【図８】本発明の第２の実施の形態を示す要部縦断面図である。
【図９】図８のＩＸ−ＩＸ線断面図である。
【図１０】図８のＸ−Ｘ線断面図である。
【図１１】図８のＸＩ−ＸＩ線断面図である。
【図１２】本発明の第３の実施の形態を示す正面図である。
【図１３】図１２のＸＩＩＩ−ＸＩＩＩ線拡大断面図である。
【符号の説明】
【００４５】
２  建物
３  壁
７  基板
１０  装飾パネル
３１  係合器
３２  受け部材
３３  フック係合部
３４  抜止片
３７  フック部材
３８  基部
３９  フック
４０  取付部
４１  ねじ挿通孔
【図１】
2006241949.tif 000003
【図２】
2006241949.tif 000004
【図３】
2006241949.tif 000005
【図４】
2006241949.tif 000006
【図５】
2006241949.tif 000007
【図６】
2006241949.tif 000008
【図７】
2006241949.tif 000009
【図８】
2006241949.tif 000010
【図９】
2006241949.tif 000011
【図１０】
2006241949.tif 000012
【図１１】
2006241949.tif 000013
【図１２】
2006241949.tif 000014
【図１３】
2006241949.tif 000015